(57)【特許請求の範囲】
【請求項１】
一時停止しているレジストローラに転写材を当接させた後、当該レジストローラを回転させて前記転写材を転写領域に向けて送り出し、像担持体上に形成したトナー像を転写手段により前記転写材に転写せしめるように構成した画像形成装置において、
タブ付転写材のタブ付き辺が先頭となって搬送される状態のときに、前記レジストローラの一時停止を禁止する制御手段と、
像担持体面上で書込位置から転写位置までの円弧長をＡ、転写材の先頭を検知して像担持体上のトナー像との同期を調整する同期調整用のセンサ位置から転写位置までの搬送長をＢ、タブ突出長さをＣとすると、Ａ＜Ｂ−Ｃなる条件を満たすような位置に配置された、前記転写材の先端部を検知するセンサと、
タブ付転写材のタブ分割数とタブ突出長さの情報を入力する操作パネルとを有し、
前記転写材の先端部を検知するセンサがタブ部の先端を検知したときは、タブ部以外の先端を検知したときよりタブ突出長さ分遅らせた所定の時間後に、タブ部に該当する画像書込を像担持体上へ開始することを特徴とする画像形成装置。
【発明の詳細な説明】
【０００１】
【発明の属する技術分野】
本発明は、電子写真方式の複写機、プリンタ、またはファクシミリ等の画像形成装置に関し、特に、タブ付転写材を使用するのに適した画像形成装置に関する。
【０００２】
【従来の技術】
従来の複写機、プリンタ等の画像形成装置においては、タブ付転写材を搬送する場合、タブ付き辺が先頭側となる転写材を搬送すると、レジストローラでの一時停止に際し、タブ部がレジストローラに当接して、紙曲りやタブ部先端折れ等の不具合が発生する傾向がある。そのため、タブ付転写材を装填する場合は、タブ付き辺が後端側となるように給紙トレイに装填している（以下、タブ付き辺が先頭側となる場合をタブ部が下流側といい、タブ付き辺が後端側となる場合をタブ部が上流側ともいう）。
【０００３】
しかしながら、両面画像形成時では、一方の面でタブ部が上流側になるよう搬送されても、反転装置を通過後はタブ部が下流側となるため紙曲りやタブ部先端折れ等の不具合が発生してしまう。
【０００４】
それでも、止むを得ず、タブ付転写材へ両面画像形成を行う際には、片面である表面に画像形成されたタブ付転写材を、オペレータが手動でわざわざ表裏反転して再びタブ部が上流側となるように給紙トレイに装填して、裏面の画像形成を行っている。
【０００５】
【発明が解決しようとする課題】
本発明は、タブ付転写材（以下、タブ紙ともいう）を使用する場合、タブ部が下流側になった場合でも、レジストローラによる前述のような問題を発生することなく、通紙が可能な画像形成装置を提供することを目的とする。
【０００６】
【課題を解決するための手段】
（１）一時停止しているレジストローラに転写材を当接させた後、当該レジストローラを回転させて前記転写材を転写領域に向けて送り出し、像担持体上に形成したトナー像を転写手段により前記転写材に転写せしめるように構成した画像形成装置において、タブ付転写材のタブ付き辺が先頭となって搬送される状態のときに、前記レジストローラの一時停止を禁止する制御手段と、像担持体面上で書込位置から転写位置までの円弧長をＡ、転写材の先頭を検知して像担持体上のトナー像との同期を調整する同期調整用のセンサ位置から転写位置までの搬送長をＢ、タブ突出長さをＣとすると、Ａ＜Ｂ−Ｃなる条件を満たすような位置に配置された、前記転写材の先端部を検知するセンサと、タブ付転写材のタブ分割数とタブ突出長さの情報を入力する操作パネルとを有し、前記転写材の先端部を検知するセンサがタブ部の先端を検知したときは、タブ部以外の先端を検知したときよりタブ突出長さ分遅らせた所定の時間後に、タブ部に該当する画像書込を像担持体上へ開始することを特徴とする画像形成装置。
【０００７】
【発明の実施の形態】
本発明の実施の形態の一例を図面に従って説明する。
【０００８】
図１は本発明に係わる画像形成装置の構成を示す模式図である。
本実施の形態の画像形成装置としての複写機は、複写機本体の上部に自動原稿送り装置１を有するとともに、複写機本体内に画像読取装置２、画像形成部３、転写材収納部４、給紙部５、反転排紙・再給紙部６、および反転搬送手段であるＡＤＵ８を有している。
【０００９】
前記自動原稿送り装置１は、原稿を一枚ずつ送り出し、原稿を画像読取位置へと搬送し、画像読取が終わった原稿を所定の場所に排紙処理する装置である。
【００１０】
前記自動原稿送り装置１は、原稿を載置する原稿載置台１１、原稿載置台１１上に載置された原稿を分離する原稿分離手段１２、原稿分離手段１２で分離された原稿を搬送する複数のローラを含む原稿搬送手段１３、原稿搬送手段１３で搬送された原稿を排紙する原稿排紙手段１４、原稿排紙手段１４によって排紙された原稿を載置する原稿排紙台１５、および、原稿の両面の画像を読み取る際に原稿の表裏を反転させるためのローラ対からなる原稿反転手段１６を有している。
【００１１】
処理プロセスがらみで述べるに、前記原稿載置台１１上に載置された複数枚の原稿（不図示）は、原稿分離手段１２によって１枚づつ分離され、前記原稿搬送手段１３によって原稿読取位置に向けて搬送される。
【００１２】
前記原稿読取位置は、前記原稿搬送手段１３の下方部に設けられており、そこで、スリット２１を通して原稿の画像が読み取られるようになっている。
【００１３】
画像が読み取られた原稿は、原稿排紙手段１４によって原稿排紙台１５上へと排紙される。
【００１４】
一方、原稿の両面の画像を読み取る際には、一度片面の画像が読み取られた原稿を原稿反転手段１６に導き、原稿の後端が前記ローラに咬えられた状態において当該ローラを逆回転させて原稿の表裏を反転し、再度、前記原稿搬送手段１３で搬送することにより、前記原稿読取位置において他の面（第２面）の画像を読み取ることができる。
【００１５】
このような工程が原稿載置台１１上に載置された原稿の枚数分繰り返される。
また、前記自動原稿送り装置１は可倒式に構成されており、この自動原稿送り装置１を起こしてプラテンガラス２２上を開放することにより、当該プラテンガラス２２上に原稿を直接載置し、複写することができるように構成してある。
【００１６】
前記画像読取装置２は、原稿の画像を読み取って画像データを得るための手段であり、前記スリット２１を介して原稿を照射するランプ２３１と原稿からの反射光を反射させる第１ミラー２３２とを一体化してなる第１ミラーユニット２３と、第１ミラー２３２からの光を反射させる第２ミラー２４１と第３ミラー２４２とを一体化してなる第２ミラーユニット２４と、当該第２ミラーユニット２４からの反射光を、後述する撮像素子（以下、ＣＣＤという）２６に結像させる結像レンズ２５、および、結像レンズ２５によって結像された光像を光電変換して画像情報を得るライン状のＣＣＤ２６を有している。
【００１７】
前記画像情報は、適宜の画像処理を施された後、一旦、図示しないメモリに蓄積されるようになっている。
【００１８】
前記自動原稿送り装置１によって送られている原稿を、画像読取装置２で読み取る態様においては、第１ミラーユニット２３及び第２ミラーユニット２４は、図示の如き位置に固定されている。
【００１９】
なお、前記プラテンガラス２２上に直接載置された原稿の画像を読み取る態様においては、前記第１ミラーユニット２３と第２ミラーユニット２４とを、光路長を保ちながら、プラテンガラスに沿って移動させることにより行う。
【００２０】
前記画像形成部３は、画像読取装置２で得た画像データに基づいて、最終的に転写材上に画像形成を行う領域である。
【００２１】
実施の形態において、画像形成は電子写真プロセスを用いて作製するものであり、光導電性感光層を表面に有する像担持体（以下、感光体ドラムという）３１、当該感光体ドラム３１の表面を一様帯電させる帯電器３２、画像処理後の画像データに基いて作動され、前記感光体ドラム３１上を露光して潜像を形成するための露光手段であるレーザ書込系３３、前記感光体ドラム３１上に形成される潜像を反転現像してトナー像となす現像器３４、前記トナー像を、転写材上に転写する転写極３５、トナー像が転写された転写材を感光体ドラム３１上からＡＣコロナ放電を行って除電することにより分離を促進する除電器３６、および、転写工程終了後の前記感光体ドラム３１を清掃するためのクリーニング手段３７等を有する。
【００２２】
前記除電器３６にて分離後、転写材を加熱ローラ型の定着装置３８に向けて搬送するための搬送ベルト３９、定着排出ローラ６１、排紙ローラ６３等の搬送手段が、前記除電器３６と略同一水平線上に備えられている。
【００２３】
上記構成による画像形成は、適宜の駆動手段によって矢示の方向に回転する感光体ドラム３１を帯電器３２により順次帯電した後、レーザ書込系３３によるドット露光で静電潜像を形成し、現像器３４により前記静電潜像をトナー像に変換し、その後、一時停止していたレジストローラ５７の回転開始により給送される転写材上に、前記転写極３５の作用を介して転写させることで達成される。すなわち、一時停止しているレジストローラ５７に転写材先端を突き当てた後も更に搬送ローラ５６を回転させることにより、この上流にあるループ形成部Ｗで転写材をたわませて紙曲りを除去している。その後、感光体ドラム３１上のトナー像にタイミングを合わせて、回転制御されるレジストローラ５７によって転写材は給紙され、転写極３５の作用でトナー像は転写材上に転写されるようになっている。
【００２４】
転写後の転写材は除電器３６の作用により前記感光体ドラム３１上から分離され、前記定着装置３８の加熱・加圧作用を受けた後、機外に排出される。
【００２５】
一方、転写領域を通過した感光体ドラム３１は更に回転を続け、クリーニング手段３７によって残留トナーが除去されて次の画像形成への準備がなされる。
【００２６】
以上、通常の転写材への画像形成に関するプロセスについて説明した。
本発明は、タブ紙を搬送するとき、タブ付き辺が先頭となる搬送の場合はレジストローラの一時停止を禁止する制御手段によって紙曲りやタブ部先端折れを回避することができる点を特徴とする。
【００２７】
図２は図１における画像形成部への転写材搬送路の部分的拡大図である。
図において、Ａ１はレーザ書込系からの書込位置、Ａ２は転写極が配置されている転写位置、５６１は感光体ドラム上のトナー像との同期調整用のセンサで、少なくとも１個が搬送方向と直交する線上に配置されている。Ｂ１は搬送ローラ５６によって送られる転写材の先端を検知するセンサ位置、Ａは書込位置Ａ１から転写位置Ａ２までの感光体ドラム３１上での円弧長（以下、円弧長という）、Ｂはセンサ位置Ｂ１から転写位置Ａ２までの搬送長を示す。
【００２８】
前記センサ５６１の配置は、書込位置Ａ１から転写位置Ａ２までの円弧長をＡ、センサ位置Ｂ１から転写位置Ａ２までの搬送長をＢ、タブ突出長さをＣとすると、Ａ＜Ｂ−Ｃなる条件を満たすような位置になるよう構成する必要がある。
【００２９】
次に、上記のセンサの配置条件の元に、レジストローラの一時停止を禁止する制御手段によるタブ紙搬送と感光体ドラムへの書込について説明する。
【００３０】
図３は感光体ドラム上でタブ部に該当する部分に書込を行うタイミングを説明するための図である。
【００３１】
図において、▲１▼、▲２▼は１個のセンサで、▲３▼、▲４▼は２個（複数）のセンサでタブ紙の先端を検知する例を示す。図において、Ｃはタブ突出長さ、Ｄはセンサ位置Ｂ１から書込が開始される迄の時間にタブ紙が走る距離を示す。
【００３２】
後述するが、タブ突出長さＣは、予め、オペレータによって入力され、制御手段である制御部Ｆ（図１参照）にてトナー像とのタイミングが演算される。
【００３３】
本実施の形態における制御手段とは、機械作動のプログラムを内蔵する制御部であって、転写材の給紙、搬送や感光体ドラムへの帯電、書込や現像、転写、給紙、搬送等々のタイミングを演算する機能および操作上の命令、選択、記憶、その他の機能を有する。
【００３４】
▲１▼はタブ部の先端がセンサ５６１を通過する場合で、タブ部の先端が前記センサ５６１で検知され、その信号は制御部Ｆ（図１参照）に送られ、転写材が所定の距離Ｄだけ搬送された時点で、感光体ドラムにタブ部に該当する書込が開始され、書込画像との同期が取られる。その後、転写材は転写位置Ａ２迄の距離（Ｂ−Ｄ）を搬送され（これは図２における書込位置Ａ１から転写位置Ａ２までの距離Ａに相当）て、転写位置Ａ２に到達し、タブ部への転写が可能となる。
【００３５】
▲２▼はタブ部以外の先端がセンサを通過する場合で、先端が検知されてから、▲１▼と同様に、搬送距離（Ｄ−Ｃ）を走行した時間後、感光体ドラムにタブ部に該当する書き込みが開始され、書込画像と同期が取られる。その後、転写材は転写位置Ａ２迄の距離（Ｂ−Ｄ）を搬送され、タブ部への転写が可能となる。
【００３６】
▲３▼は２個（複数個）のセンサで先端を検知する場合で、タブ紙は、タブ部の先端が一方のセンサで検知されてからタブ突出長さＣだけ進んだ時点で、他方のセンサでタブ部以外の端部が検知される。この場合、遅い方の信号からＤ−Ｃ搬送されてからタブ部に該当する感光体ドラムへの書込が開始される。その後、転写材は転写位置Ａ２迄の距離（Ｂ−Ｄ）を搬送され、タブ部への転写が可能となる。
【００３７】
▲４▼も２個（複数個）のセンサで先端を検知する場合で、いずれのセンサもタブ部先端を検知しない場合である。この場合、検知信号からＤ−Ｃ搬送されてからタブ部に該当する感光体ドラムへの書込が開始される。
【００３８】
前述の説明でもわかるように、仮に、Ａ＞Ｂ−Ｃとなると、センサ５６１で検知されたタブ紙のタブ部先端は転写位置Ａ２を通り過ぎてしまい同期がとれない場合が生じる。
【００３９】
先端が検知されたタブ紙はさらに進み、一時停止が禁止されたレジストローラ５７に挟持され転写領域に搬送される。
【００４０】
一方、タブ部が上流側にあるタブ紙の場合には、タブ無し転写材と同様に、搬送ローラ５５、５６によって送られ、一時停止しているレジストローラ５７に先端（タブの無い辺）が当接し、ループ形成部Ｗでたわみを作り、紙曲りを矯正し、感光体ドラム上のトナー像とのタイミングがとられる。
【００４１】
また、タブ紙への両面画像形成の場合は、いずれか一方の面でタブ部が下流側となるため、下流側となる面での搬送時では、レジストローラ５７の一時停止を禁止する制御が自動的に選択される。すなわち、タブ部が下流側となる場合のみレジストローラ５７を一時停止を禁止する制御で紙曲りやタブ部先端折れを回避することを可能にしている。
【００４２】
次に、タブ紙使用に当たっての使用条件について説明する。
図４は給紙トレイに装填するタブ付転写材の載積状態を示す図である。
【００４３】
図４（ａ）は５分割のタブ紙（５枚）を２組載積した状態を示しており、第１組目のタブ紙は（１）から（５）のように、第２組目は（６）から（１０）のようにタブ部の位相を一つずつずらして配列されるように載積されている。
【００４４】
すなわち、本実施の形態では、タブ紙を使用する場合、画像形成された転写材を区分する分割（区分）数と同じ枚数のタブ紙が図４（ａ）の（１）、（２）………のような配列で載積された構成の複数組のタブ紙をタブ紙専用の給紙トレイに装填することを前提条件とする。
【００４５】
ここで、分割数とは、画像形成済みタブ無し転写材の特定のページ間にタブ紙を挿入して区分けする数をいう。例えば、５分割するときは、図４（ａ）のように、１組が５枚からなる５分割のタブ紙を使用し、１０分割するときは１組が１０枚からなる１０分割のタブ紙を使用する（ただし、１０分割するときは一組５分割のタブ紙を２組使用することもできる）。
【００４６】
はじめに、オペレータは画像形成済みタブ無し転写材を幾つに分割するかを、予め確認しておき、その分割（挿入）数と等しい数のタブ数からなるタブ紙の組（セット）を前記給紙トレイに複数組装填しておく。
【００４７】
オペレータは、タブ紙モード（インターシートモード）を選択して、プリントを分割するタブ紙の挿入箇所（ページ）を後述するテンキーを通して入力することで、タブ紙の給紙を可能にする。
【００４８】
ここで、タブ紙モードとは、画像形成されてゆくタブ無し転写材にタブ紙を挿入し、区分するためのモードで、予め、何枚目と何枚目の間に挿入するかをテンキーで入力しておくと、制御部Ｆ（図１参照）で演算されて、挿入箇所がくると、タブ紙装填の給紙トレイに自動的に切り替わり、タブ紙がインターシートとして供給され、タブ部等への画像形成がなされた後、挿入箇所に挿入されるよう制御されるモードをいう。
【００４９】
例えば、図４（ａ）のように装填されている２組のタブ紙の場合では、はじめに、タブ紙（１）が給紙され、次に、別の給紙トレイからの画像形成前のタブ無し転写材（以下、用紙ともいう）へ画像形成が行われ、続いて、タブ紙（２）が給紙され、インデックス等の画像形成が行われ、その次に、また、用紙への画像形成へと続く。同様に、タブ紙（３）から（５）へ、または、（６）から（１０）へ同様な繰り返しのプロセスを経てタブ紙の挿入が進み、図４（ｂ）に示すようなタブ紙が挿入された２組の画像形成済み転写材が完成することになる。
【００５０】
タブ紙（１）から（５）、（６）から（１０）に進む中で、タブ紙の給送数がカウントされ制御部Ｆ（図１参照）に記憶される。また、何番目のタブ部が前記センサを通過するかは装填するタブ紙のタブ数（分割数）を入力することによって判断され、搬送方向と直交する方向（以下、Ｙ方向ともいう）のタブ部にインデックス等を付するタイミングが制御部Ｆで演算される。
【００５１】
図４（ｃ）は５分割のタブ紙で、５枚とも同一の位置にタブ部がある組で、図４（ｄ）は、各タブ部の位相が揃わない配列で載積されたタブ紙を示す。仮に、これらの配列構成のタブ紙を、タブ辺を先頭にして給紙トレイに装填し、給紙した場合、タブ突出長さ、タブ分割数を入力すれば一時停止を禁止する制御が適用され、タブ先端折れ等は回避されるが、Ｙ方向のタブ位置が前記前提条件にないため、タブ部への書込が不可能な場合が生じる。
【００５２】
また、本実施の形態では、タブ部が下流側となるタブ付転写材の前後に隣接する用紙がタブ紙に当接しないように、タブ付転写材と用紙との紙間を、用紙どうしの紙間より広くなるよう給紙タイミングをずらすよう制御されている。これは、一時停止禁止モードでは前後の用紙に対し、タブ紙が一時停止しないためタイミングがずれるためである。すなわち、タブ紙の前後の用紙との紙間は、用紙どうしの紙間より拡大され互いの当接が回避されることになる。ここでいう紙間とは、タブ部先端と用紙間または非タブ部の辺と用紙間を指す。
【００５３】
次に、転写材収納部（またはＡＤＵ）からの給紙プロセスについて説明する。図１に戻って、前記転写材収納部４には、転写材を積層状態で収納する収納容器４０５、４１５、４２５と給紙ユニット４０６、４１６、４２６とを一体的に構成した給紙トレイ４００、４１０、４２０を上下方向に配列してあり、前記給紙ユニット４０６、４１６、４２６は、給紙ローラ４０７、４１７、４２７と重層防止用の分離ローラ４０８、４１８、４２８とを有している。
【００５４】
前記給紙トレイには、それぞれ、異なった種類の転写材が収納してある。
本実施の形態では、給紙トレイ４００にはＡ４サイズの通常転写材（タブ無し）、４１０にはＡ４サイズで長辺にタブ部を有するタブ紙が収納されている場合で、いずれの転写材も搬送方向に短辺が沿う形態にある。
【００５５】
それぞれの給紙トレイは、固定可能な転写材の側縁および後縁をそれぞれ規制する側縁規制板および後端規制板を有する。
【００５６】
規制板（不図示）の構成は公知技術を使用し得、又、当該規制板の位置は適宜のセンサからなるサイズ検知手段Ｓ１で検知され、その情報はコンピュータ（ＣＰＵ）からなる制御手段Ｆに取り込まれるようになっている。
【００５７】
前記給紙部５は、前記給紙トレイのそれぞれから画像形成部３へと転写材を搬送するための搬送手段として、搬送ローラ対（以下、単に搬送ローラともいう）Ｒ１、Ｒ２、Ｒ３、Ｒ４、Ｒ５、Ｒ６を有している。
【００５８】
前記搬送ローラ対Ｒ１ないしＲ３は、プレレジストローラとして前記給紙ユニット４０６、４１６、４２６に一体的に設けることが好ましく、本実施の形態においては一体構成としてある。なお、タブ紙を給送するプレレジストローラＲ２は、タブ部が下流側になったタブ紙を給送する場合は、レジストローラ５７と同様に一時停止しないように制御される。
【００５９】
ＰＳはフォトセンサで、例えば、給紙トレイ４００から給紙ローラ４０７により給紙された転写材が前記分離ローラ４０８の下流に設けてある前記搬送ローラ対Ｒ１に到達したか否かを検知する機能を有し、搬送ローラ対Ｒ１の直前の位置に配設してある。
【００６０】
５５は前記搬送ローラＲ４の下流に設けた搬送ローラで、前記ＡＤＵ８を介して送り出される用紙と、例えば、給紙トレイ４００から給紙される転写材との搬送路合流部に設けてある。
【００６１】
反転排紙・再給紙部６は、転写・定着後の転写材を反転排紙したり、両面画像形成モードに従って転写材を再給紙するための領域であり、定着排出ローラ６１により排出された転写材をそのまま機外へ排出する場合と、表裏反転させた後に排出する場合と、転写材の裏面（第２面）に画像形成するために当該転写材をレジストローラ５７に向けて再給紙する場合とにおいて搬送路を切り替える切替手段６２を有している。
【００６２】
画像形成された転写材をそのまま、即ち、画像面を上側にして排出する場合は、切替手段６２を図において一点鎖線で示す位置に位置させ、また、画像形成された転写材の表裏を反転させて排出する場合は、切替手段６２を図において実線で示す位置に位置させ、定着排出ローラ６１により搬送される用紙を、搬送ローラ６００、６１０、６２０が付設されている搬送路中に送り込み、後端が前記搬送ローラ６００の手前位置に到達するタイミングで前記ローラ群の作動を停止させ、しかる後、前記搬送ローラ６００の回転方向を前記と逆方向に回転せしめることにより、前記切替手段６２の左側を通過せしめて機外の排紙トレイ６４へと排出する。
【００６３】
更に、転写材の第２面に引き続き画像を形成するモードの場合は、切替手段６２を図において実線で示す位置に位置させ、定着排出ローラ６１により搬送される転写材を、排紙モータで駆動される反転排紙・再給紙部６の各搬送ローラを介して前記ＡＤＵ８に送り込み、転写材を反転させた後、前記レジストローラ５７に向けて送り出し、前記した画像形成と同じプロセスにより処理した後、前記排紙トレイ６４に排出する。
【００６４】
前記ＡＤＵ８は、前述の如くに、転写材の表裏反転を行うとともに転写材の循環搬送路（レジストローラ５７〜定着装置３８〜反転排紙・再給紙部６〜ＡＤＵ８〜レジストローラ５７に至る循環路）の一部を形成する反転搬送手段であり、複数のローラ対（以下、単に搬送ローラともいう）８００、８１０、８２０、８３０、８４０、８５０を有する。
【００６５】
前記搬送ローラの内、参照符号８００を付したローラは、図示しないモータにより正逆方向に駆動制御されるローラであり、他のローラと区別して以下、ＡＤＵ反転ローラという。
【００６６】
第２面に画像形成が予定されている転写材の特にＡＤＵ内における挙動は、反転排紙・再給紙部６のローラ群（６００、６１０、６２０）の駆動作用で搬送路に沿って進んだ後、前記ＡＤＵ反転ローラ８００の駆動作用で同方向への移動を継続し、後端部が前記ＡＤＵ反転ローラに挟持されている状態で、前記ＡＤＵ反転ローラの回転停止動作に伴って移動を停止し、その後、前記回転方向と逆方向に回転される前記ＡＤＵ反転ローラ８００の駆動力を受けてスイッチバックし、分岐点で右側の搬送路に入り、表裏反転された状態で搬送ローラ８１０ないし８５０の駆動作用により水平の搬送路を右に移動し、上方に移動した後、搬送ローラ５５、５６を経て、前記レジストローラ５７に到達する。
【００６７】
次に、タブ紙を画像形成済み転写材に挿入する場合の操作の手順について図を元に説明する。
【００６８】
図５は操作パネルの一部分を示す図である。
図５において、１００は操作パネルで機械の上面（図１の２００参照）に設けられている。（イ）はタブ紙モード選択部、（ロ）は液晶表示板からなるディスプレイ、（ハ）はテンキー、（ニ）は画像形成をスタートさせるコピーボタン、（ホ）は判定部である。
【００６９】
図６はタブ付転写材を画像形成済み転写材に挿入する際の操作手順を説明するためのフローチャートである。
【００７０】
以下、図６の操作手順のフローについて図５の参照符号に基づいて説明する。
図６において、一点鎖線で囲まれた範囲は、オペレータが手動で選択、指示するブロックで、実線で囲まれた範囲は機械が自動的に作動するブロックを示す。
【００７１】
はじめに、ステップＳ１で、タブ紙モード選択部（イ）のタブ紙のボタンを押すと、タブ紙の供給が可能になり、ステップＳ２で、テンキー（ハ）を通してタブ紙の挿入箇所を入力し位置指定をする。ステップＳ３で、給紙トレイに装填されているタブ紙のタブ分割数、タブ突出長さを入力すると、ステップＳ４でディスプレイ（ロ）に両面画像形成か否かのメッセージが表示され、Ｎ（ＮＯ）の場合は、判定部（ホ）のＮＯのボタンを押すと、ステップＳ５でディスプレイ（ロ）にタブ部が下流側か否か表示される。ここで、Ｎの場合は、前記判定部（ホ）のＮＯのボタンを押すと、設定が完了し、ステップＳ６のコピーボタン（ニ）が押され、ステップＳ７のレジストローラが一時停止して、感光体ドラム上のトナー像とタイミングがとられる一時停止モードへと進む。
【００７２】
ステップＳ５でＹ（ＹＥＳ）の場合、前記判定部（ホ）のＹＥＳのボタンを押すと、設定は完了し、ステップＳ８のコピーボタン（ホ）が押され、ステップＳ９の一時停止禁止モードへ進む。
【００７３】
ステップＳ４でＹ（両面画像形）の場合、前記判定部（ホ）のＹＥＳのボタンを押すと、ステップＳ１０でディスプレー（ロ）にタブは下流側か否かのメッセージが表示される。ステップＳ１０でＮの場合は、前記判定部（ホ）のＮＯのボタンを押すと設定は完了し、ステップＳ１１でコピーボタン（ニ）が押され、ステップＳ１２で表面（第１面）の画像形成ではタブ部は上流側にあるので、一時停止してトナー像とタイミングをとる一時停止モード、裏面（第２面）のプリントでは、一時停止禁止モードへと進む。
【００７４】
ステップＳ１０でＹの場合、前記判定部（ホ）のＹＥＳのボタンを押すと、設定は完了し、ステップＳ１３でコピーボタン（ニ）が押され、ステップＳ１４で表面（第１面）の画像形成では、タブ部が下流側にあるので、一時停止禁止モードとなり、裏面（第２面）の画像形成で一時停止モードへ進む。
【００７５】
以上のように、オペレータがタブ部の位置の選択、およびタブ分割数、タブ突出長さ等を入力することによって、タブ部の位置が下流側となる場合、感光体ドラム上のトナー像と用紙との同期調整は、用紙の先端を検知するセンサの信号によりレジストローラの一時停止を禁止する制御手段（モード）が適用され、紙曲り、タブ部先端折れ等の不具合が回避できる。
【００７６】
【発明の効果】
タブ付転写材で、タブ付き辺が先頭側となる場合に発生しがちな紙曲りやタブ部先端の折れを防止でき、安定したタブ付転写材の搬送ができる。
【図面の簡単な説明】
【図１】本発明に係わる画像形成装置の構成を示す模式図である。
【図２】図１における画像形成部への転写材搬送路の部分的拡大図である。
【図３】感光体ドラム上でタブ部に該当する部分に書込を行うタイミングを説明するための図である。
【図４】給紙トレイに装填するタブ付転写材の載積状態を示す図である。
【図５】操作パネルの一部分を示す図である。
【図６】タブ付転写材を画像形成済み転写材に挿入する際の操作手順を説明するためのフローチャートである。
【符号の説明】
１  自動原稿送り装置
２  画像読取装置
３  画像形成部
４  転写材収納部
５  給紙部
６  反転排紙・再給紙部
８  ＡＤＵ（循環搬送手段）
３１  像担持体（感光体ドラム）
５５，５６  搬送ローラ
５７  レジストローラ
５６１  センサ
【図１】
0003972668.tif 000002
【図２】
0003972668.tif 000003
【図３】
0003972668.tif 000004
【図４】
0003972668.tif 000005
【図５】
0003972668.tif 000006
【図６】
0003972668.tif 000007